(57)【要約】  高速共用制御チャネル（ＨＳ−ＳＣＣＨ、ｈｉｇｈ  ｓｐｅｅｄ  ｓｈａｒｅｄ  ｃｏｎｔｒｏｌ  ｃｈａｎｎｅｌ）データを符号化および復号化するための方法と装置が開示される。パート１データの符号化に対しては、無線送信／受信ユニット（ＷＴＲＵ、ｗｉｒｅｌｅｓｓ  ｔｒａｎｓｍｉｔ／ｒｅｃｅｉｖｅ  ｕｎｉｔ）識別子（ＩＤ、ｉｄｅｎｔｉｔｙ）と最大の最小ハミング距離（最大最小ハミング距離）を持つ生成器行列とを使用して、マスクを生成することができる。パート２データの符号化に対しては、パート１データとパート２データとに基づいて巡回冗長検査（ＣＲＣ、ｃｙｃｌｉｃ  ｒｅｄｕｎｄａｎｃｙ  ｃｈｅｃｋ）ビットが生成される。ＣＲＣビットの数は、ＷＴＲＵＩＤよりも少ない。ＣＲＣビットおよび／またはパート２データは、マスクを使用してマスクされる。マスクは、ＷＴＲＵＩＤであってよい。または、ＣＲＣビットに等しい長さのパンクチャされたＷＴＲＵＩＤであってもよい。マスクは、ＷＴＲＵＩＤと最大最小ハミング距離を持つ生成器行列とを使用して生成することができる。マスキングは、符号化またはレートマッチングの後に実行することができる。
2010508764.tif 000002
【特許請求の範囲】
【請求項１】
高速共用制御チャネル（ＨＳ−ＳＣＣＨ、ｈｉｇｈ  ｓｐｅｅｄ  ｓｈａｒｅｄ  ｃｏｎｔｒｏｌ  ｃｈａｎｎｅｌ）を符号化するためのノードＢであって、
パート１データとパート２データとに基づいて巡回冗長検査（ＣＲＣ、ｃｙｃｌｉｃ  ｒｅｄｕｎｄａｎｃｙ  ｃｈｅｃｋ）ビットを生成するためのＣＲＣユニットであって、前記ＣＲＣビットは前記パート２データに付加され、前記ＣＲＣビットの数は無線送信／受信ユニット（ＷＴＲＵ、ｗｉｒｅｌｅｓｓ  ｔｒａｎｓｍｉｔ／ｒｅｃｅｉｖｅ  ｕｎｉｔ）識別子（ＩＤ、ｉｄｅｎｔｉｔｙ）より少ない、ＣＲＣユニットと、
前記パート２データと前記ＣＲＣビットとの内の少なくとも一方に、マスクを使用してＷＴＲＵに特化したマスキング（ｍａｓｋｉｎｇ）を実行するためのマスキングユニットと、
前記ＷＴＲＵに特化したマスキングの後に、前記パート１データと前記ＣＲＣビットが付加された前記パート２データとを送信するための送信機と
を備えることを特徴とするノードＢ。
【請求項２】
前記マスクは、前記ＣＲＣビットに等しい長さのパンクチャされたＷＴＲＵＩＤであることを特徴とする請求項１に記載のノードＢ。
【請求項３】
前記マスクは前記ＷＴＲＵＩＤであり、前記ＷＴＲＵＩＤの一部分は前記ＣＲＣビットをマスクするのに使用され、前記ＷＴＲＵＩＤの残り部分は前記パート２データをマスクするのに使用されることを特徴とする請求項１に記載のノードＢ。
【請求項４】
前記マスキングユニットは、前記ＷＴＲＵＩＤと生成器行列（ｇｅｎａｒａｔｏｒ  ｍａｔｒｉｘ）とを使用して、最大の最小ハミング距離（最大最小ハミング距離）のマスクを生成することを特徴とする請求項１に記載のノードＢ。
【請求項５】
前記パート２データと前記ＣＲＣビットとにチャネル符号化を実行するためのチャネル符号器と、
前記符号化されたパート２データおよびＣＲＣビットにレートマッチング（ｒａｔｅ  ｍａｔｃｈｉｎｇ）を実行するためのレートマッチングユニットであって、前記マスキングユニットは、前記レートマッチングされ符号化されたパート２データおよびＣＲＣビットに等しい長さの前記マスクを生成し、前記チャネル符号化と前記レートマッチングとの内の一方を行った後に、前記ＷＴＲＵに特化したマスキングを実行する、レートマッチングユニットと
をさらに備えることを特徴とする請求項１に記載のノードＢ。
【請求項６】
高速共用制御チャネル（ＨＳ−ＳＣＣＨ）のパート２データを復号化するための無線送信／受信ユニット（ＷＴＲＵ）であって、
ＨＳ−ＳＣＣＨの上で、パート１データと巡回冗長検査（ＣＲＣ）ビットが付加されたパート２データとを受信するための受信機であって、前記ＣＲＣビットの数はＷＴＲＵ識別子（ＩＤ）よりも少なく、前記パート２データと前記ＣＲＣビットとの内の少なくとも一方はマスクを使用してマスクされる、受信機と、
前記受信したパート２データと前記受信したＣＲＣビットとの内の少なくとも一方に、前記マスクを使用してデマスキング（ｄｅ−ｍａｓｋｉｎｇ）を実行するためのデマスキングユニットと、
前記デマスキングされたＣＲＣビットと前記パート１データと前記パート２データとを使用してＣＲＣ検査を実行するためのＣＲＣユニットと
を備えることを特徴とするＷＴＲＵ。
【請求項７】
前記受信したパート２データと前記受信したＣＲＣビットとの内の少なくとも一方は、前記ＣＲＣビットに等しい長さのパンクチャされたＷＴＲＵＩＤを使用してデマスキングされることを特徴とする請求項６に記載のＷＴＲＵ。
【請求項８】
前記受信したＣＲＣビットは前記ＷＴＲＵＩＤの一部分を使用してデマスキングされ、前記受信したパート２データは前記ＷＴＲＵＩＤの残り部分を使用してデマスキングされることを特徴とする請求項６に記載のＷＴＲＵ。
【請求項９】
前記デマスキングユニットは、前記ＷＴＲＵＩＤと生成器行列とを使用して最大最小ハミング距離のマスクを生成することを特徴とする請求項６に記載のＷＴＲＵ。
【請求項１０】
前記受信したパート２データと前記受信したＣＲＣビットとにレートデマッチング（ｒａｔｅ  ｄｅ−ｍａｔｃｈｉｎｇ）を実行するためのレートデマッチングユニットと、
前記受信したパート２データと前記受信したＣＲＣビットとに、前記レートデマッチングの後にチャネル復号化を実行するためのチャネル復号器と
をさらに備え、
前記マスクの長さは、レートマッチングされ符号化されたパート２データおよびＣＲＣビットに等しく、前記デマスキングユニットは、前記チャネル復号化と前記レートデマッチングとの内の一方を行う前に、前記デマスキングを実行することを特徴とする請求項６に記載のＷＴＲＵ。
【請求項１１】
高速共用制御チャネル（ＨＳ−ＳＣＣＨ）のパート２データを符号化するための方法であって、
パート１データとパート２データとに基づいて巡回冗長検査（ＣＲＣ）ビットを生成するステップであって、前記ＣＲＣビットは前記パート２データに付加され、前記ＣＲＣビットの数は無線送信／受信ユニット（ＷＴＲＵ）識別子（ＩＤ）よりも少ない、ステップと、
前記パート２データと前記ＣＲＣビットとの内の少なくとも一方に、マスクを使用してＷＴＲＵに特化したマスキングを実行するステップと、
前記ＷＴＲＵに特化したマスキングの後に、前記パート１データと前記ＣＲＣビットが付加された前記パート２データとを送信するステップと
を備えることを特徴とする方法。
【請求項１２】
前記マスクは、前記ＣＲＣビットに等しい長さのパンクチャされたＷＴＲＵＩＤであることを特徴とする請求項１１に記載の方法。
【請求項１３】
前記マスクは前記ＷＴＲＵＩＤであり、前記ＷＴＲＵＩＤの一部分は前記ＣＲＣビットをマスクするのに使用され、前記ＷＴＲＵＩＤの残り部分は前記パート２データをマスクするのに使用されることを特徴とする請求項１１に記載の方法。
【請求項１４】
前記ＷＴＲＵＩＤと生成器行列とを使用して最大最小ハミング距離のマスクを生成するステップをさらに備えることを特徴とする請求項１１に記載の方法。
【請求項１５】
前記パート２データと前記ＣＲＣビットとにチャネル符号化を実行するステップと、
前記符号化されたパート２データおよびＣＲＣビットにレートマッチングを実行するステップと、
前記マスクを生成するステップであって、前記マスクの長さは前記レートマッチングされ符号化されたパート２データおよびＣＲＣビットに等しい、ステップと
をさらに備え、
前記ＷＴＲＵに特化したマスキングは前記チャネル符号化と前記レートマッチングとの内の一方を行った後に実行されることを特徴とする請求項１１に記載の方法。
【請求項１６】
高速共用制御チャネル（ＨＳ−ＳＣＣＨ）のパート２データを復号化するための方法であって、
ＨＳ−ＳＣＣＨの上で、パート１データと巡回冗長検査（ＣＲＣ）ビットが付加されたパート２データとを受信するステップであって、前記ＣＲＣビットの数は無線送信／受信ユニット（ＷＴＲＵ）識別子（ＩＤ）よりも少なく、前記パート２データと前記ＣＲＣビットとの内の少なくとも一方はマスクを使用してマスクされる、ステップと、
前記受信したパート２データと前記受信したＣＲＣビットとの内の少なくとも一方に、前記マスクを使用してデマスキングを実行するステップと、
前記デマスキングしたＣＲＣビットと前記パート１データと前記パート２データとを使用してＣＲＣ検査を実行するステップと
を備えることを特徴とする方法。
【請求項１７】
前記受信したパート２データと前記受信したＣＲＣビットとの内の少なくとも一方は、前記ＣＲＣビットに等しい長さのパンクチャされたＷＴＲＵＩＤを使用してデマスキングされることを特徴とする請求項１６に記載の方法。
【請求項１８】
前記受信したＣＲＣビットは前記ＷＴＲＵＩＤの一部分を使用してデマスキングされ、前記受信したパート２データは前記ＷＴＲＵＩＤの残り部分を使用してデマスキングされることを特徴とする請求項１６に記載の方法。
【請求項１９】
前記ＷＴＲＵＩＤと生成器行列とを使用して最大最小ハミング距離のマスクを生成するステップをさらに備えることを特徴とする請求項１６に記載の方法。
【請求項２０】
前記マスクを生成するステップと、
前記受信したパート２データと前記受信したＣＲＣビットとにレートデマッチングを実行するステップと、
前記レートデマッチングの後に、前記受信したパート２データと前記受信したＣＲＣビットとにチャネル復号化を実行するステップと
をさらに備え、
前記マスクの長さは、レートマッチングされ符号化されたパート２データおよびＣＲＣビットに等しく、前記デマスキングユニットは、前記チャネル復号化と前記レートデマッチングとの内の一方を行う前に前記デマスキングを実行することを特徴とする請求項１６に記載の方法。
【請求項２１】
高速共用制御チャネル（ＨＳ−ＳＣＣＨ）のパート１データを符号化するためのノードＢであって、
パート１データにチャネル符号化を実行するためのチャネル符号器と、
前記符号化されたパート１データにレートマッチングを実行するためのレートマッチングユニットと、
無線送信／受信ユニット（ＷＴＲＵ）識別子（ＩＤ）と生成器行列とを使用して最大最小ハミング距離のマスクを生成し、前記レートマッチングされ符号化されたパート１データに、前記マスクを使用してマスキングを実行するためのマスキングユニットと、
前記マスクされたパート１データを送信するための送信機と
を備えることを特徴とするノードＢ。
【請求項２２】
前記マスクは、１６ビットＷＴＲＵＩＤに（４０，１６）符号化を行うことにより生成され、前記マスクは、最小距離１２を有することを特徴とする請求項２１に記載のノードＢ。
【請求項２３】
高速共用制御チャネル（ＨＳ−ＳＣＣＨ）のパート１データを復号化するための無線送信／受信ユニット（ＷＴＲＵ）であって、
パート１データを受信する受信機と、
ＷＴＲＵ識別子（ＩＤ）と生成器行列とを使用して最大最小ハミング距離のマスクを生成し、前記受信したパート１データに、前記マスクを使用してデマスキングを実行するためのデマスキングユニットと、
前記デマスキングしたパート１データにレートデマッチングを実行するためのレートデマッチングユニットと、
前記レートデマッチングしたパート１データにチャネル復号化を実行するためのチャネル復号器と
を備えることを特徴とするＷＴＲＵ。
【請求項２４】
前記マスクは、１６ビットＷＴＲＵＩＤに（４０，１６）符号化を行うことにより生成され、前記マスクは、最小距離１２を有することを特徴とする請求項２３に記載のＷＴＲＵ。
【請求項２５】
高速共用制御チャネル（ＨＳ−ＳＣＣＨ）のパート１データを符号化するための方法であって、
パート１データにチャネル符号化を実行するステップと、
前記符号化されたパート１データにレートマッチングを実行するステップと、
無線送信／受信ユニット（ＷＴＲＵ）識別子（ＩＤ）と生成器行列とを使用して最大最小ハミング距離のマスクを生成するステップと、
前記レートマッチングされ符号化されたパート１データのマスキングを、前記マスクを使用して実行するステップと、
前記マスクされたパート１データを送信するステップと
を備えることを特徴とする方法。
【請求項２６】
前記マスクは、１６ビットＷＴＲＵＩＤに（４０，１６）符号化を行うことにより生成され、前記マスクは、最小距離１２を有することを特徴とする請求項２５に記載の方法。
【請求項２７】
高速共用制御チャネル（ＨＳ−ＳＣＣＨ）のパート１データを復号化するため方法であって、
パート１データを受信するステップと、
ＷＴＲＵ識別子（ＩＤ）と生成器行列とを使用して最大最小ハミング距離のマスクを生成するステップと、
前記受信したパート１データのデマスキングを、前記マスクを使用して実行するステップと、
前記デマスキングされたパート１データにレートデマッチングを実行するステップと、
前記レートデマッチングしたパート１データにチャネル復号化を実行するステップと
を備えることを特徴とする方法。
【請求項２８】
前記マスクは、１６ビットＷＴＲＵＩＤに（４０，１６）符号化を行うことにより生成され、前記マスクは、最小距離１２を有することを特徴とする請求項２７に記載の方法。
【発明の詳細な説明】
【技術分野】
【０００１】
本発明は、無線通信に関する。
【背景技術】
【０００２】
３ＧＰＰ（ｔｈｉｒｄ  ｇｅｎｅｒａｔｉｏｎ  ｐａｒｔｎｅｒｓｈｉｐ  ｐｒｏｊｅｃｔ）高速ダウンリンクパケットアクセス（ＨＳＤＰＡ、ｈｉｇｈ  ｓｐｅｅｄ  ｄｏｗｎｌｉｎｋ  ｐａｃｋｅｔ  ａｃｃｓｅｓｓ）では、高速ダウンリンク共用チャネル（ＨＳ−ＤＳＣＨ、ｈｉｇｈ  ｓｐｅｅｄ  ｄｏｗｎｌｉｎｋ  ｓｈａｒｅｄ  ｃｈａｎｎｅｌ）を復号化するために必要な制御信号は高速共用制御チャネル（ＨＳ−ＳＣＣＨ、ｈｉｇｈ  ｓｐｅｅｄ  ｓｈａｒｅｄ  ｃｏｎｔｒｏｌ  ｃｈａｎｎｅｌ）を介して送信される。ある特定なセルに関連した１組の無線送信／受信ユニット（ＷＴＲＵ、ｗｉｒｅｌｅｓｓ  ｔｒａｎｓｍｉｔ／ｒｅｃｅｉｖｅ  ｕｎｉｔ）には、複数のＨＳ−ＳＣＣＨを送信することができる。ＨＳ−ＳＣＣＨは、２つの部分（パート）のデータを運ぶ。第１パートのデータ（パート１データ）と第２パートのデータ（パート２データ）である。パート１データはチャネライゼーション符号設定情報（ｃｈａｎｎｅｌｉｚａｔｉｏｎ  ｃｏｄｅ  ｓｅｔ  ｉｎｆｏｒｍａｔｉｏｎ）、変調スキーム情報、その他を含む。パート２データは、転送ブロックサイズ情報、ハイブリッド自動再送要求（ＨＡＲＱ、ｈｙｂｒｉｄ  ａｕｔｏｍａｔｉｃ  ｒｅｐｅａｔ  ｒｅｑｕｅｓｔ）処理情報、冗長バージョン情報およびコンステレーションバージョン情報、ＷＴＲＵ識別子（ＩＤ、ｉｄｅｎｔｉｔｙ）、その他を含む。ＨＳ−ＳＣＣＨフレームは、３つのタイムスロットを含む。パート１データは、第１のタイムスロットの中で送信され、パート２データは、第２および第３のタイムスロットの中で送信される。
【０００３】
図１は従来のＨＳ−ＳＣＣＨ符号化を示す。パート１データを符号化するために、チャネライゼーション符号設定情報Ｘccsおよび変調スキーム情報Ｘmsは多重化されて、ビット系列Ｘ1が生成される。ビット系列Ｘ1には、レート１／３畳み込み符号化が適用され、ビット系列Ｚ1が生成される。ビット系列Ｚ1は、レートマッチング（ｒａｔｅ  ｍａｔｃｈｉｎｇ）のためにパンクチャ（ｐｕｎｃｔｕｒｅ）され、ビット系列Ｒ1が生成される。レートマッチングされたビットＲ1は、ＷＴＲＵＩＤを使用してＷＴＲＵに特化したやり方でマスクされ、ビット系列Ｓ1が生成される。この場合におけるマスキングは、それぞれのビットがマスクビット値によって条件的にフリップされるということを意味する。ＷＴＲＵに特化したマスキングに対しては、レート１／２畳み込み符号化を使用してＷＴＲＵＩＤを符号化することにより、中間符号語（ｉｎｔｅｒｍｅｄｉａｔｅ  ｃｏｄｅ  ｗｏｒｄ）ビットが生成される。
【０００４】
パート２データを符号化するために、転送ブロックサイズ情報Ｘtbs、ＨＡＲＱ処理情報Ｘhap、冗長バージョン情報Ｘrv、および、新データ指示子Ｘndが多重化されてビット系列Ｘ2が生成される。ビット系列Ｘ1およびビット系列Ｘ2から、巡回冗長検査（ＣＲＣ、ｃｙｃｌｉｃ  ｒｅｄｕｎｄａｎｃｙ  ｃｈｅｃｋ）ビットが算出される。ＣＲＣビットは、ＷＴＲＵＩＤ（Ｘue）でマスクされ、その後ビット系列Ｘ2に添付され、ビット系列Ｙが形成される。ビット系列Ｙにレート１／３畳み込み符号化が適用され、ビット系列Ｚ2が生成される。ビット系列Ｚ2は、レートマッチングのためにパンクチャされて、ビット系列Ｒ2が形成される。ビット系列Ｓ1およびビット系列Ｒ2は合成されて、送信のために物理チャネルにマッピングされる。
【発明の概要】
【発明が解決しようとする課題】
【０００５】
パート１データの検出のパフォーマンス（動作性能）は、複数のＨＳ−ＳＣＣＨのために使用されるマスクの間のハミング距離（Ｈａｍｍｉｎｇ  ｄｉｓｔａｎｃｅ）に影響される。従来の方法は、最小距離８の１組のマスクを生成する。これらの最小距離符号が使用されるとき、ＨＳ−ＳＣＣＨ検出の動作性能は最適にはならない。さらに、ＨＳＤＰＡに対してＭＩＭＯ（Ｍｕｌｔｉｐｌｅ−Ｉｎｐｕｔ−Ｍｕｌｔｉｐｌｅ−Ｏｕｔｐｕｔ）を実施する場合には、ＨＳ−ＳＣＣＨによってより多くのデータが運ばれる必要がある。従って、ＭＩＭＯの実装に関するデータの送信に対しては、より多くの余地をＨＳ−ＳＣＣＨに設ける必要がある。
【課題を解決するための手段】
【０００６】
ＨＳ−ＳＣＣＨデータの符号化および復号化のための方法と装置が開示される。パート１データの符号化のために、ＷＴＲＵＩＤと、最大の最小ハミング距離（最大最小ハミング距離）を持つ生成器行列（ｇｅｎｅｒａｔｏｒ  ｍａｔｒｉｘ）とを使用してマスクを生成することができる。パート２データの符号化のために、パート１データおよびパート２データに基づいて、ＣＲＣビットを生成することができる。ＣＲＣビットの数は、ＷＴＲＵＩＤより少なくてよい。ＣＲＣビット、および／または、パート２データは、マスクによってマスクされる。マスクは、ＷＴＲＵＩＤ、または、ＣＲＣビットの長さに等しいパンクチャされたＷＴＲＵＩＤであってよい。マスクは、ＷＴＲＵＩＤおよび最大最小ハミング距離を持つ生成器行列を使用して生成することができる。マスキングは、符号化またはレートマッチングの後に実行することができる。
【０００７】
本発明は、事例として与えられる下記の記述によって、また、添付の図面と共に、より詳細な理解が得られるであろう。
【図面の簡単な説明】
【０００８】
【図１】従来のＨＳ−ＳＣＣＨ符号化を示す図である。
【図２】ＨＳ−ＳＣＣＨデータを符号化するためのノードＢの１例のブロック図である。
【図３】ＨＳ−ＳＣＣＨデータを復号化するためのＷＴＲＵの１例のブロック図である。
【図４】信号対雑音比（ＳＮＲ）に対するパート１データの選択誤り確率のシミュレーション結果を示す図である。図は、２つのＨＳ−ＳＣＣＨマスキングの方法（従来技術と本発明）の動作性能を比較している。ここに、２つのＨＳ−ＳＣＣＨ符号は、対応する方法で規定された異なるマスク距離を使用して送信される。
【発明を実施するための形態】
【０００９】
本明細書の以下で用いる、用語「ＷＴＲＵ」は、ユーザ装置（ＵＥ）、移動局、固定のまたは移動の加入者ユニット、ページャ、セルラ電話機、携帯情報端末（ＰＤＡ）、コンピュータ、または、無線環境下で動作可能な、任意の他の型のユーザデバイスを含むが、これらには限定されない。本明細書の以下で用いる、用語「ノードＢ」は、基地局、サイトコントローラ、アクセスポイント（ＡＰ）、または、無線環境下で動作可能な、任意の他の型のインタフェースデバイスを含むが、これらには限定されない。
【００１０】
図２は、ＨＳ−ＳＣＣＨデータを符号化するための、ノードＢ２００の１例のブロック図である。ノードＢ２００は、符号器２０１、レートマッチングユニット２０４、マスキングユニット２０６、マルチプレクサ２１０、ＣＲＣユニット２１２、マスキングユニット２１４、符号器２１８、レートマッチングユニット２２０、および、トランシーバ２２４を備える。ＨＳ−ＳＣＣＨデータは、パート１データとパート２データとを備える。パート１データは符号器２０２に送られる。符号器２０２はパート１データ２０１にチャネル符号化を実行する。チャネル符号化されたパート１データ２０３は、その後、レートマッチングユニット２０４によってレートマッチングのためにパンクチャされる。レートマッチングされたパート１データ２０５は、マスキングユニット２０６によってマスクを使用してマスクされる。マスクは、ＷＴＲＵＩＤ２０８に基づいて生成することができる。
【００１１】
通常、符号はそれらの動作性能と復号器の簡単さの双方に関連して選択される。畳み込み符号は、よい動作性能を有し復号器の複雑さが低い符号のよい１例である。無論のことながら、動作性能と復号器の複雑さとの間には、どの程度かのかね合いがある。しかしながら、マスキングのために使用する符号を選択する場合には、復号器の複雑さは要因とはならない。これは、対応する復号器はＷＴＲＵの中に存在する必要がないからである。必要な全てのものは、ずっと簡単な符号器によって作り出すことができる、マスクそれ自体である。
【００１２】
マスキングユニット２０６は、最大最小ハミング距離を持つマスクを生成する生成器行列を使用して、ＷＴＲＵＩＤ２０８をブロック符号化することによりマスクを生成する。マスクは、ＷＴＲＵＩＤと生成器行列とのベクトル‐行列積により生成される。結果として生成されるマスクは、生成器行列の行の線形合成である。（４０，１６）符号に対する生成器行列の１例を下記に示す。下記に示された生成器行列は、１例として提供されたものであり、限定的なものではなく、任意の他の生成器行列も代替的に使用することができるということに注意を要する。この例においては、マスクは４０ビットのマスクであり、ＷＴＲＵＩＤは１６ビットの長さである。この例は、最小距離１２のマスクを生成する特定な生成器行列によるブロック符号を使用している。これにより、最小距離において複数のＨＳ−ＳＣＣＨを送信する場合には、はるかに良好な動作性能が得られる。
【００１３】
【表１】
2010508764.tif 000003
【００１４】
従来は、マスクはレート１／２畳み込み符号化を使用してＷＴＲＵＩＤ２０８を符号化することにより生成されている。従来のマスクの最小ハミング距離は８である。本発明によって生成されるマスクの改善されたハミング距離によって、ＷＴＲＵにおけるパート１のＨＳ−ＳＣＣＨ復号器の動作性能が改善される。図４は、ＳＮＲに対するパート１データの選択誤り確率のシミュレーション結果を示す。図は、２つのＨＳ−ＳＣＣＨマスキングの方法（従来技術と本発明）の動作性能を比較している。ここに、２つのＨＳ−ＳＣＣＨ符号は、対応する方法で規定された異なるマスク距離を使用して送信される。図４は、ハミング距離１２のマスクを使用した場合の動作性能の改善を、ハミング距離８の場合のマスクと比較して示す。
【００１５】
再び図２を参照すると、パート１データ２０１およびパート２データ２１１は、ＣＲＣユニット２１２に送られてＣＲＣビットが算出される。ＣＲＣビットは、パート２データ２１１に付加される。ＣＲＣビットの数は、より多くのデータ（例えば、ＭＩＭＯのためのデータ）をパート２データとして含めることができるように、ＷＴＲＵＩＤの長さよりも短くすることができる。パート２データとＣＲＣビットとの合成２１３はマスキングユニット２１４に送られる。マスキングユニット２１４は、マスクを使用して、ＣＲＣビットまたはＣＲＣビットにパート２データの一部または全部を加えたものに対してマスキングを実行する。この件に関しては下記で詳しい説明を行う。マスクされたパート２データおよびＣＲＣビット２１７は、符号器２１８によって符号化される。符号化されたパート２データおよびＣＲＣビット２１９は、レートマッチングユニット２２０によってパンクチャされる。レートマッチングされたパート２データおよびＣＲＣビット２２１とレートマッチングされたパート１データ２０９とは、マルチプレクサ２１０によって多重化され、送信するためにトランシーバ２２４に送られる。
【００１６】
１つの実施形態に従えば、マスキングユニット２１４は、ＣＲＣビットとパート２データとを加えたもののサイズに等しいかまたは小さいサイズを有するマスクを生成することができる。マスクの一部分が抽出されてＣＲＣビットに適用され、マスクの残りの部分は、パート２データの全部または一部に適用される。パート１データのマスキングに関連して上記で開示したように、マスクは、ＷＴＲＵＩＤ２１６および生成器行列を使用して生成し、マスクの最小ハミング距離を最大にすることができる。
【００１７】
別の実施形態に従えば、ＷＴＲＵＩＤは、マスクとして使用することができる。ＷＴＲＵＩＤの長さは、ＣＲＣビットの長さよりも長くすることができる。従って、ＷＴＲＵＩＤの一部分は、ＣＲＣビットをマスクするのに使用され、残りのＷＴＲＵＩＤは、パート２データをマスクするのに使用される。さらに別の実施形態に従えば、ＷＴＲＵＩＤは、ＣＲＣビットと同じ長さにパンクチャされ、このパンクチャされたＷＴＲＵＩＤは、ＣＲＣビットをマスクするのに使用される。
【００１８】
さらに別の実施形態に従えば、マスキングユニット２１４は、符号器とレートマッチングユニットとの間に移動させることができる。マスキングユニット２１４は、レートマッチングを行ったパート２データおよびＣＲＣビット２２１に等しい長さのマスクを生成する。そして、マスキングユニット２１４は、符号化されたパート２データおよびＣＲＣビット２１９に、そのマスクを適用する。あるいは、マスキングユニット２１４は、レートマッチングユニット２２０とマルチプレクサ２１０との間に移動させることができ、この場合は、レートマッチングを行ったパート２データおよびＣＲＣビット２２１にマスクを適用する。マスクは８０ビットの長さでよい。パート１データのマスキングに関連して上記で開示したように、マスクは、ＷＴＲＵＩＤ２１６および生成器行列を使用して生成し、マスクの最小ハミング距離を最大にすることができる。
【００１９】
図３は、ＨＳ−ＳＣＣＨデータの復号化を行うための、ＷＴＲＵ３００の１例のブロック図を示す。ＷＴＲＵ３００は、トランシーバ３０２、デマルチプレクサ（ｄｅ−ｍｕｌｔｉｐｌｅｘｅｒ）３０４、デマスキングユニット（ｄｅ−ｍａｓｋｉｎｇ  ｕｎｉｔ）３０６、デレートマッチングユニット（ｄｅ−ｒａｔｅ  ｍａｔｃｈｉｎｇ  ｕｎｉｔ）３１０、復号器３１２、デレートマッチングユニット３１４、復号器３１６、デマスキングユニット３１８、および、ＣＲＣユニット３２２を含む。トランシーバ３０２は、第１のパートと第２のパートとを含むＨＳ−ＳＣＣＨ送信３０１を受信する。第１のパートは、パート１データと対応し、ＨＳ−ＳＣＣＨフレームの第１のタイムスロットの上にあり、第２のパートは、パート２データと対応し、ＨＳ−ＳＣＣＨフレームの第２および第３のタイムスロットの上にある。第１パート３０５ａおよび第２パート３０５ｂはデマルチプレクサ３０４によって多重分離される。
【００２０】
第１のパート３０５ａは、デマスキングユニット３０６によってデマスキングされる。デマスキングユニット３０６は、ノードＢにおいて使用されたのと同じマスクを、ＷＴＲＵＩＤ３０８を使用して同じやり方で生成する。マスクは、上記で開示したように、ＷＴＲＵＩＤ３０８と生成器行列とによって生成することができる。デレートマッチングユニット３１０は、デマスキングされた第１のパート３０９に対して、ノードＢにおいて実行されたパンクチャの逆操作を行う。そして、デレートマッチングされた第１のパート３１１は、復号器３１２によって復号化され、パート１データ３１３が出力される。パート１データはまた、ＣＲＣユニット３２２に送られる。
【００２１】
第２のパート３０５ｂは、デレートマッチングユニット３１４によってデレートマッチングされ、ノードＢにおいて実行されたパンクチャの逆操作が施される。そして、デレートマッチングされた第２のパート３１５は、復号器３１６によって復号化され、パート２データ（ノードＢにおいてマスクされていても、またはされていなくともよい）およびマスクされたＣＲＣビット３１７が出力される。マスクされたＣＲＣビットおよび任意選択としてマスクされたパート２データ３１７は、デマスキングユニット３１８によってデマスキングされる。デマスキングユニット３１８は、デマスキングのために、ノードＢにおいて使用したのと同じマスクを使用する。マスクは、ＷＴＲＵＩＤ３２０、パンクチャされたＷＴＲＵＩＤ、または、ＷＴＲＵＩＤ３２０と生成器行列とを使用して生成したマスクであってよい。デマスキングユニット３１８は、デマスキングされたパート２データおよびＣＲＣビット３２１を、ＣＲＣユニット３２２に出力する。そして、ＣＲＣユニット３２２は、パート１データ３１３、パート２データ、およびＣＲＣビットを使用してＣＲＣ検査を実行する。
【００２２】
デマスキングユニット３１８は、ノードＢにおいて実行されたマスキングスキームによって、復号器３１６とデレートマッチングユニット３１４との間に、または、デレートマッチングユニット３１４とデマルチプレクサ３０４との間に、移動させることができる。この場合、マスクは８０ビットの長さとすることができ、上記で述べたように、マスクはＷＴＲＵＩＤ２１６と生成器行列とを使用して生成し、マスクの最小ハミング距離を最大にすることができる。
【００２３】
実施形態。
１．ＨＳ−ＳＣＣＨのパート２データを符号化するためのノードＢ。
【００２４】
２．パート１データおよびパート２データに基づいてＣＲＣビットを生成するためのＣＲＣユニットを備え、ＣＲＣビットはパート２データに付加され、ＣＲＣビットの数はＷＴＲＵ識別子（ＩＤ）よりも少ないことを特徴とする実施形態１のノードＢ。
【００２５】
３．パート２データとＣＲＣビットとの内の少なくとも一方に、マスクを使用してＷＴＲＵに特化したマスキングを実行するためのマスキングユニットを備えることを特徴とする実施形態２のノードＢ。
【００２６】
４．ＷＴＲＵに特化したマスキングを行った後に、パート１データとＣＲＣビットが付加されたパート２データとを送信するための送信機を備えることを特徴とする実施形態３のノードＢ。
【００２７】
５．マスクはＣＲＣビットに等しい長さのパンクチャされたＷＴＲＵＩＤであることを特徴とする実施形態３ないし実施形態４のいずれかの１実施形態におけるノードＢ。
【００２８】
６．マスクはＷＴＲＵＩＤであり、ＷＴＲＵＩＤの一部分はＣＲＣビットをマスクするのに使用され、ＷＴＲＵＩＤの残り部分はパート２データをマスクするのに使用されることを特徴とする実施形態３ないし実施形態５のいずれかの１実施形態におけるノードＢ。
【００２９】
７．マスキングユニットは、ＷＴＲＵＩＤと生成器行列とを使用して、最大最小ハミング距離のマスクを生成することを特徴とする実施形態３ないし実施形態６のいずれかの１実施形態におけるノードＢ。
【００３０】
８．パート２データとＣＲＣビットとにチャネル符号化を実行するためのチャネル符号器をさらに備えることを特徴とする実施形態３ないし実施形態７のいずれかの１実施形態におけるノードＢ。
【００３１】
９．符号化されたパート２データおよびＣＲＣビットにレートマッチングを実行するためのレートマッチングユニットを備え、マスキングユニットは、レートマッチングされ符号化されたパート２データおよびＣＲＣビットに等しい長さのマスクを生成し、チャネル符号化とレートマッチングとの内の一方を行った後にＷＴＲＵに特化したマスキングを実行することを特徴とする実施形態８のノードＢ。
【００３２】
１０．ＨＳ−ＳＣＣＨのパート２データを復号化するためのＷＴＲＵ。
【００３３】
１１．ＨＳ−ＳＣＣＨの上で、パート１データとＣＲＣビットが付加されたパート２データとを受信するための受信機を備え、ＣＲＣビットの数はＷＴＲＵＩＤよりも少なく、パート２データとＣＲＣビットとの内の少なくとも一方はマスクによってマスクされることを特徴とする実施形態１０のＷＴＲＵ。
【００３４】
１２．受信したパート２データと受信したＣＲＣビットとの内の少なくとも一方に、マスクを使用してデマスキングを実行するためのデマスキングユニットを備えることを特徴とする実施形態１１のＷＴＲＵ。
【００３５】
１３．デマスキングされたＣＲＣビット、パート１データ、およびパート２データを使用してＣＲＣ検査を実行するためのＣＲＣユニットを備えることを特徴とする実施形態１２のＷＴＲＵ。
【００３６】
１４．受信したパート２データと受信したＣＲＣビットとの内の少なくとも一方は、ＣＲＣビットに等しい長さのパンクチャされたＷＴＲＵＩＤを使用してデマスキングされることを特徴とする実施形態１２ないし実施形態１３のいずれかの１実施形態におけるＷＴＲＵ。
【００３７】
１５．受信したＣＲＣビットはＷＴＲＵＩＤの一部分を使用してデマスキングされ、受信したパート２データはＷＴＲＵＩＤの残り部分を使用してデマスキングされることを特徴とする実施形態１２ないし実施形態１４のいずれかの１実施形態におけるＷＴＲＵ。
【００３８】
１６．デマスキングユニットは、ＷＴＲＵＩＤと生成器行列とを使用して最大最小ハミング距離のマスクを生成することを特徴とする実施形態１２ないし実施形態１５のいずれかの１実施形態におけるＷＴＲＵ。
【００３９】
１７．受信したパート２データと受信したＣＲＣビットとに、レートデマッチング（ｒａｔｅ  ｄｅ−ｍａｔｃｈｉｎｇ）を実行するためのレートデマッチングユニットをさらに備えることを特徴とする実施形態１２ないし実施形態１６のいずれかの１実施形態におけるＷＴＲＵ。
【００４０】
１８．受信したパート２データと受信したＣＲＣビットとに、レートデマッチングの後にチャネル復号化を実行するためのチャネル復号器を備え、マスクの長さは、レートマッチングされ符号化されたパート２データおよびＣＲＣビットに等しく、デマスキングユニットは、チャネル復号化とレートデマッチングとの内の一方を行う前にデマスキングを実行することを特徴とする実施形態１７のＷＴＲＵ。
【００４１】
１９．ＨＳ−ＳＣＣＨのパート２データを符号化するための方法。
【００４２】
２０．パート１データおよびパート２データに基づいてＣＲＣビットを生成するステップを備え、ＣＲＣビットはパート２データに付加され、ＣＲＣビットの数はＷＴＲＵＩＤよりも少ないことを特徴とする実施形態１９の方法。
【００４３】
２１．パート２データとＣＲＣビットとの内の少なくとも一方に、マスクを使用してＷＴＲＵに特化したマスキングを実行するステップを備えることを特徴とする実施形態２０の方法。
【００４４】
２２．ＷＴＲＵに特化したマスキングを行った後に、パート１データとＣＲＣビットが付加されたパート２データとを送信するステップを備えることを特徴とする実施形態２１の方法。
【００４５】
２３．マスクはＣＲＣビットに等しい長さのパンクチャされたＷＴＲＵＩＤであることを特徴とする実施形態２１ないし実施形態２２のいずれかの１実施形態における方法。
【００４６】
２４．マスクはＷＴＲＵＩＤであり、ＷＴＲＵＩＤの一部分はＣＲＣビットをマスクするのに使用され、ＷＴＲＵＩＤの残り部分はパート２データをマスクするのに使用されることを特徴とする実施形態２１ないし実施形態２３のいずれかの１実施形態における方法。
【００４７】
２５．ＷＴＲＵＩＤと生成器行列とを使用して、最大最小ハミング距離のマスクを生成するステップをさらに備えることを特徴とする実施形態２１ないし実施形態２４のいずれかの１実施形態における方法。
【００４８】
２６．パート２データとＣＲＣビットとにチャネル符号化を実行するステップをさらに備えることを特徴とする実施形態２１ないし実施形態２５のいずれかの１実施形態における方法。
【００４９】
２７．符号化されたパート２データおよびＣＲＣビットにレートマッチングを実行するステップを備えることを特徴とする実施形態２６の方法。
【００５０】
２８．マスクを生成するステップを備え、マスクの長さは、レートマッチングされ符号化されたパート２データおよびＣＲＣビットに等しく、ＷＴＲＵに特化したマスキングは、チャネル符号化とレートマッチングとの内の一方を行った後に実行されることを特徴とする実施形態２７の方法。
【００５１】
２９．高速共用制御チャネル（ＨＳ−ＳＣＣＨ）のパート２データを復号化するための方法。
【００５２】
３０．ＨＳ−ＳＣＣＨの上で、パート１データとＣＲＣビットが付加されたパート２データとを受信するステップを備え、ＣＲＣビットの数はＷＴＲＵＩＤよりも少なく、パート２データとＣＲＣビットとの内の少なくとも一方は、マスクを使用してマスクされることを特徴とする実施形態２９の方法。
【００５３】
３１．受信したパート２データと受信したＣＲＣビットとの内の少なくとも一方に、マスクを使用してデマスキングを実行するステップを備えることを特徴とする実施形態３０の方法。
【００５４】
３２．デマスキングされたＣＲＣビット、パート１データ、およびパート２データを使用してＣＲＣ検査を実行するステップを備えることを特徴とする実施形態３１の方法。
【００５５】
３３．受信したパート２データと受信したＣＲＣビットとの内の少なくとも一方は、ＣＲＣビットと同じ長さのパンクチャされたＷＴＲＵＩＤを使用してデマスキングされることを特徴とする実施形態３１ないし実施形態３２のいずれかの１実施形態における方法。
【００５６】
３４．受信したＣＲＣビットはＷＴＲＵＩＤの一部分を使用してデマスキングされ、受信したパート２データはＷＴＲＵＩＤの残り部分を使用してデマスキングされることを特徴とする実施形態３１ないし実施形態３３のいずれかの１実施形態における方法。
【００５７】
３５．ＷＴＲＵＩＤと生成器行列とを使用して最大最小ハミング距離のマスクを生成するステップさらに備えることを特徴とする実施形態３１ないし実施形態３４のいずれかの１実施形態における方法。
【００５８】
３６．マスクを生成するステップをさらに備えることを特徴とする実施形態３１ないし実施形態３５のいずれかの１実施形態における方法。
【００５９】
３７．受信したパート２データと受信したＣＲＣビットとにレートデマッチングを実行するステップを備えることを特徴とする実施形態３５の方法。
【００６０】
３８．受信したパート２データと受信したＣＲＣビットとに、レートデマッチングの後にチャネル復号化を実行するステップを備え、マスクの長さは、レートマッチングされ符号化されたパート２データおよびＣＲＣビットに等しく、デマスキングユニットは、チャネル復号化とレートデマッチングとの内の一方を行う前に、デマスキングを実行することを特徴とする実施形態３７の方法。
【００６１】
３９．ＨＳ−ＳＣＣＨのパート１データを符号化するためのノードＢ。
【００６２】
４０．パート１データにチャネル符号化を実行するためのチャネル符号器を備えることを特徴とする実施形態３９のノードＢ。
【００６３】
４１．符号化されたパート１データにレートマッチングを実行するためのレートマッチングユニットを備えることを特徴とする実施形態４０のノードＢ。
【００６４】
４２．ＷＴＲＵＩＤと生成器行列とを使用して最大最小ハミング距離のマスクを生成するためのマスキングユニットを備え、レートマッチングされ符号化されたパート１データに、マスクを使用してマスキングを実行することを特徴とする実施形態４１のノードＢ。
【００６５】
４３．マスクされたパート１データを送信するための送信機を備えることを特徴とする実施形態４２のノードＢ。
【００６６】
４４．マスクは、１６ビットＷＴＲＵＩＤに（４０，１６）符号化を行うことにより生成され、マスクは最小距離１２を有することを特徴とする実施形態４２ないし実施形態４３のいずれかの１実施形態におけるノードＢ。
【００６７】
４５．ＨＳ−ＳＣＣＨのパート１データを復号化するためのＷＴＲＵ。
【００６８】
４６．パート１データを受信するための受信機を備えることを特徴とする実施形態４５のＷＴＲＵ。
【００６９】
４７．ＷＴＲＵＩＤと生成器行列とを使用して最大最小ハミング距離のマスクを生成するためのデマスキングユニットを備え、受信したパート１データに、マスクを使用してデマスキングを実行することを特徴とする実施形態４６のＷＴＲＵ。
【００７０】
４８．デマスキングされたパート１データにレートデマッチングを実行するためのレートデマッチングユニットを備えることを特徴とする実施形態４７のＷＴＲＵ。
【００７１】
４９．レートデマッチングされたパート１データにチャネル復号化を実行するためのチャネル復号器を備えることを特徴とする実施形態４８のＷＴＲＵ。
【００７２】
５０．マスクは、１６ビットＷＴＲＵＩＤに（４０，１６）符号化を行うことにより生成され、マスクは最小距離１２を有することを特徴とする実施形態４７ないし実施形態４９のいずれかの１実施形態におけるＷＴＲＵ。
【００７３】
５１．ＨＳ−ＳＣＣＨのパート１データを符号化するための方法。
【００７４】
５２．パート１データにチャネル符号化を実行するステップを備えることを特徴とする実施形態５１の方法。
【００７５】
５３．符号化されたパート１データにレートマッチングを実行するステップを備えることを特徴とする実施形態５２の方法。
【００７６】
５４．ＷＴＲＵＩＤと生成器行列とを使用して最大最小ハミング距離のマスクを生成するステップを備えることを特徴とする実施形態５３の方法。
【００７７】
５５．レートマッチングされ符号化されたパート１データのマスキングを、マスクを使用して実行するステップを備えることを特徴とする実施形態５４の方法。
【００７８】
５６．マスクされたパート１データを送信するステップを備えることを特徴とする実施形態５５の方法。
【００７９】
５７．マスクは、１６ビットＷＴＲＵＩＤに（４０，１６）符号化を行うことにより生成され、マスクは最小距離１２を有することを特徴とする実施形態５４ないし実施形態５６のいずれかの１実施形態における方法。
【００８０】
５８．ＨＳ−ＳＣＣＨのパート１データを復号化するための方法。
【００８１】
５９．パート１データを受信するステップを備えることを特徴とする実施形態５８の方法。
【００８２】
６０．ＷＴＲＵＩＤと生成器行列とを使用して最大最小ハミング距離のマスクを生成するステップを備えることを特徴とする実施形態５９の方法。
【００８３】
６１．受信したパート１データのデマスキングを、マスクを使用して実行するステップを備えることを特徴とする実施形態６０の方法。
【００８４】
６２．デマスキングされたパート１データにレートデマッチングを実行するステップを備えることを特徴とする実施形態６１の方法。
【００８５】
６３． レートデマッチングされたパート１データにチャネル復号化を実行するステップを備えることを特徴とする実施形態６２の方法。
【００８６】
６４．マスクは、１６ビットＷＴＲＵＩＤに（４０，１６）符号化を行うことにより生成され、マスクは最小距離１２を有することを特徴とする実施形態６０ないし実施形態６３のいずれかの１実施形態における方法。
【００８７】
本発明の特徴および要素は特定の組み合わせによって記述されているが、それぞれの特徴および要素は、その他の特徴および要素なしに単独で使用することができる。または、他の特徴および要素を用いた、または用いない種々の組み合わせで使用することができる。提供された方法またはフローチャートは、コンピュータ可読記憶媒体の中に実体的に組み込まれた、コンピュータプログラム、ソフトウェア、またはファームウェアの中で実施することができ、一般目的のコンピュータやプロセッサで実行することができる。コンピュータ可読記憶媒体の例は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、レジスタ、キャシュメモリ、半導体メモリデバイス、内蔵ハードディスクやリムーバブルディスク等の磁気媒体、磁気光学媒体、および、ＣＤ−ＲＯＭディスクやＤＶＤ（ｄｉｇｉｔａｌ  ｖｅｒｓａｔｉｌｅ  ｄｉｓｋ）等の光学媒体を含む。
【００８８】
適切なプロセッサは、１例として、一般目的プロセッサ、特殊目的プロセッサ、従来のプロセッサ、ディジタル信号処理装置（ＤＳＰ）、複数のマイクロプロセッサ、ＤＳＰコア（ＤＳＰ  ｃｏｒｅ）に関連する１つ以上のマイクロプロセッサ、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の任意の型の集積回路（ＩＣ）、および／または、ステートマシンを含む。
【００８９】
ソフトウェアに連携するプロセッサは、無線送信受信ユニット（ＷＴＲＵ）、ユーザ装置（ＵＥ）、端末、基地局、無線ネットワーク制御装置（ＲＮＣ）、または、任意のホストコンピュータの中に使用するための、無線周波数トランシーバを実現するのに使用することができる。ＷＴＲＵは、ハードウェアおよび／またはソフトウェアの中に設備されるモジュールと結合して使用することができる。ここでモジュールとは、カメラ、ビデオカメラモジュール、ビデオフォン、スピーカフォン、振動デバイス、スピーカ、マイクロフォン、テレビジョントランシーバ、ハンズフリーヘッドセット、キーボード、Ｂｌｕｅｔｏｏｔｈ「登録商標」モジュール、周波数変調（ＦＭ）無線ユニット、液晶ディスプレイ（ＬＣＤ）ディスプレイユニット、有機発光ダイオード（ＯＬＥＤ）ディスプレイユニット、ディジタル音楽プレーヤ、メディアプレーヤ、ビデオゲームプレーヤモジュール、インターネットブラウザ、および／または、任意の無線ＬＡＮ（ｗｉｒｅｌｅｓｓ  ｌｏｃａｌ  ａｒｅａ  ｎｅｔｗｏｒｋ）モジュール等である。
【図１】
2010508764.tif 000004
【図２】
2010508764.tif 000005
【図３】
2010508764.tif 000006
【図４】
2010508764.tif 000007
【国際調査報告】
2010508764.tif 000008
2010508764.tif 000009